(57)【要約】【課題】羽毛布団等の布団に敷くシーツをベッドなどの寝具類から容易に交換可能に設け、シーツの着脱作業に負担を掛けないようにし、もって高齢者などに好適な寝具を提供する。【解決手段】寝具本体１に敷設した表面シーツ３と寝具本体１との間に剥離部材１１、１２を介して羽毛布団やベッドパッド等からなる敷き具４を挿入可能に設け、この寝具本体１に対して当該表面シーツ３を剥離部材１１、１２を介して着脱可能に設けた剥離用表面シーツを有する寝具類である。【選択図】図１
0003156538.tif 000002
【実用新案登録請求の範囲】
【請求項１】
寝具本体に敷設した表面シーツと前記寝具本体との間に剥離部材を介して羽毛布団やベッドパッド等からなる敷き具を挿入可能に設け、この寝具本体に対して当該表面シーツを前記剥離部材を介して着脱可能に設けたことを特徴とする剥離用表面シーツを有する寝具類。
【請求項２】
前記寝具本体に巻込み型のボックスシーツを巻込み装着し、このボックスシーツの表面周囲縁に剥離部材を配置し、この剥離部材と対応する前記表面シーツの下面周囲縁に剥離部材を設け、この剥離部材と前記表面シーツの剥離部材とで前記ボックスシーツの表面から前記表面シーツを着脱可能に設けた請求項１に記載の剥離用表面シーツを有する寝具類。
【請求項３】
前記寝具本体に巻込み型のボックスシーツを巻込み装着し、このボックスシーツの上方側面周囲縁に剥離部材を配置し、この剥離部材と対応する前記表面シーツの内周側面周囲縁に剥離部材を設け、この剥離部材と前記表面シーツの剥離部材とで前記ボックスシーツの表面から前記表面シーツを着脱可能に設けた請求項１に記載の剥離用表面シーツを有する寝具類。
【請求項４】
前記剥離部材は、ホック等の点ファスナー、或は、線ファスナーや面ファスナー等の対となるファスナー又はこれらのファスナーを適宜に組み合わせたファスナーを有する請求項１乃至３の何れか１項に記載の剥離用表面シーツを有する寝具類。
【請求項５】
前記寝具本体は、ベッド等の寝台や床などの載置面に載置されたマットレスや羽毛布団を含む敷き布団である請求項１乃至４の何れか１項に記載の剥離用表面シーツを有する寝具類。
【考案の詳細な説明】
【技術分野】
【０００１】
本考案は、寝具本体から剥離する表面シーツを有する寝具類に関し、特に、高齢者用の寝具に好適であったり、また、老人施設や介護施設などで使用する場合に好適な寝具類に関する。
【背景技術】
【０００２】
一般的に、この種の寝具類は、マットレスや敷き布団にいわゆるボックス型シーツが取り付けられて使用されることが多い。ボックス型シーツは、略袋状に設けられ、マットレス等の上から覆い被せられた状態で折返し部分に設けられた環状のゴム部分がマットレス等の底面側に掛け止めされ、ゴム部分の収縮力で装着される。ボックス型シーツは装着が容易であるため、老人施設や介護施設などでも多く用いられている。ボックス型シーツを装着する場合、このボックス型シーツとマットレス等との間にベッドパッドが敷かれることがある。ベッドパッドは、マットレスの凹凸を吸収して就寝時の寝心地を向上させるものである。
【０００３】
一方、特許文献１は、敷布団カバーに関するものであり、この敷布団カバーは、上カバー部材と、下カバー部材とを有している。上カバー部材は、敷布団の上面のみを覆い、下カバー部材は、敷布団の上面以外の部分を覆うようになっている。この敷布団カバーにおいては、上カバー部材が敷布団上面から取外しできるようになっている。
特許文献２の寝具は、寝具本体と、寝具本体の使用する表面を覆う複数の表面シーツとを有し、この表面シーツが連結部材の切り離しにより寝具本体から着脱可能になっている。
上記のボックス型シーツや同文献１、２は、表面などが汚れたり長く使用したときなどに、洗濯（クリーニング）等をおこなう必要がある。
【先行技術文献】
【特許文献】
【０００４】
【特許文献１】特開平１１−９４１４号公報
【特許文献２】特開平８−３３６４５５号公報
【考案の概要】
【考案が解決しようとする課題】
【０００５】
しかしながら、マットレス等に装着したボックス型シーツの洗濯等をおこなう場合には、このボックス型シーツ全体を取外す必要が生じ、その取外し時には、掛け止め部分をマットレスの底面側から外す必要があるため交換作業が面倒になっていた。更に、マットレスをベッドに載置して使用しているときには、マットレスをベッドからずらしたり縦置きにする必要が生じる場合もあった。このため、ボックス型シーツを老人施設等で使用する場合、高齢化した老人にとってこのシーツの取外し作業が大変面倒なものになっていた。特に、マットレスが載置されたベッドが部屋の隅の壁面近くに位置している場合には、ボックス型シーツの側面部分や折返し部分がマットレスと壁面との間に挟み込まれていることがあり一層手間がかかっていた。
【０００６】
しかも、ボックス型シーツは、身体が乗る上面側付近が比較的汚れやすく、上面側付近以外は汚れ難くなっているが、この上面側付近の汚れを落とすためにボックス型シーツ全体を取外したり、洗濯したりすることは大変な無駄になっていた。更に、ボックス型シーツを交換する場合、全体が嵩張るため持ち運びも面倒になっていた。
【０００７】
特許文献１の敷布団カバーは、上カバー部材を下カバー部材から着脱することで袋状の下カバー部材の交換頻度を減らすことが可能にはなっている。しかし、この下カバー部材には開口部が設けられているため、上カバー部材と下カバー部材との間にベッドパッド等を挿入したときにこのベッドパッドにより下カバー部材がずれたり敷き布団が汚れやすくなるおそれがある。
特許文献２の寝具は、表面シートが寝具本体の使用する表面を覆う構成になっているので、この表面シートと寝具本体とを結合する連結部材が寝具本体の側面に位置することがある。この場合、表面シートの交換がし難くなる場合があり、特に、寝具本体が壁面近くのベッドに載置されているときには、ボックス型シーツの場合と同様に表面シートの取外しが面倒になる。
【０００８】
本考案は、上記の実情に鑑みて、鋭意検討の結果、開発に至ったものであり、その目的とするところは、羽毛布団等の布団に敷くシーツをベッドなどの寝具類から容易に交換可能に設け、シーツの着脱作業に負担を掛けないようにし、もって高齢者などに好適な寝具を提供することにある。
【課題を解決するための手段】
【０００９】
上記目的を達成するために、本考案は、寝具本体に敷設した表面シーツと寝具本体との間に剥離部材を介して羽毛布団やベッドパッド等からなる敷き具を挿入可能に設け、この寝具本体に対して当該表面シーツを剥離部材を介して着脱可能に設けた剥離用表面シーツを有する寝具類である。
【００１０】
本考案は、寝具本体に巻込み型のボックスシーツを巻込み装着し、このボックスシーツの表面周囲縁に剥離部材を配置し、この剥離部材と対応する表面シーツの下面周囲縁に剥離部材を設け、この剥離部材と表面シーツの剥離部材とでボックスシーツの表面から表面シーツを着脱可能に設けた剥離用表面シーツを有する寝具類である。
【００１１】
本考案は、寝具本体に巻込み型のボックスシーツを巻込み装着し、このボックスシーツの上方側面周囲縁に剥離部材を配置し、この剥離部材と対応する表面シーツの内周側面周囲縁に剥離部材を設け、この剥離部材と表面シーツの剥離部材とでボックスシーツの表面から表面シーツを着脱可能に設けた剥離用表面シーツを有する寝具類である。
【００１２】
本考案における剥離部材は、ホック等の点ファスナー、或は、線ファスナーや面ファスナー等の対となるファスナー又はこれらのファスナーを適宜に組み合わせたファスナーを有する寝具類である。
【００１３】
本考案における寝具本体は、ベッド等の寝台や床などの載置面に載置されたマットレスや羽毛布団を含む敷き布団である寝具類である。
【考案の効果】
【００１４】
本考案によると、剥離部材を介して寝具本体の表面の表面シーツを着脱可能に設けたので、例えば、寝具本体から汚れの生じやすい表面シーツをのみを剥離して取外すことができるため、シーツの取換えが面倒な使用者であっても、シーツの取換え作業が容易になり、羽毛布団などの使用価値が著しく増大する。この場合、寝具本体にボックスシーツを巻込み装着し、このボックスシーツの表面側から表面シーツを剥離できるため、寝具本体をずらしたり縦置きにしたりすることがなく、作業者が高齢化した老人であっても表面シーツを簡単に取外したり装着することができる。更に、寝具本体がベッド等の寝台の載置面上に置かれ、この寝台が部屋の隅に位置している際にも、床などの載置面に置かれた場合と同様に寝台を移動することなく表面シーツを取外しできる。また、表面シーツのみを洗濯できるため無駄が少なく、この表面シーツは、軽量でコンパクトに折畳可能であるため持ち運びも容易である。更に、表面シーツは、ボックスシーツ全体を覆うことができるため寝心地が悪くなることがなく、寝具本体と表面シーツとの間には敷き具を挿入可能に設けていることで、この敷き具の保温性・吸湿性・発散性などにより寝心地を更に向上できる。この敷き具は、ボックスシーツを取外すことなく表面シーツのみを剥離して洗濯等が可能である。また、ボックスシーツの上方側面周囲縁と表面シーツの内周側面周囲縁に剥離部材を設けた場合には、上方側から力が加わった場合でも簡単に外れることがない。
【００１５】
また、本考案は、ホック等の対を成す剥離部材により寝具本体から表面シーツを剥離しやすくなっているので、作業者を選ぶことなくワンタッチで表面シーツの着脱をおこなうことができ、寝具類の商品価値を高めることができる。しかも、この剥離部材として既製のホック等を利用できるため、安価に、かつ製作も容易となる。
【図面の簡単な説明】
【００１６】
【図１】本考案の剥離用表面シーツを有する寝具類の第１実施形態を示す分離斜視図である。
【図２】図１の剥離用表面シーツを有する寝具類の取付け状態を示す斜視図である。
【図３】図１の剥離用表面シーツを有する寝具類の縦断面図である。
【図４】図３の一部拡大断面図である。
【図５】剥離部材の剥離状態を示した斜視図である。
【図６】本考案の剥離用表面シーツを有する寝具類の第２実施形態の要部を示す斜視図である。
【図７】本考案の剥離用表面シーツを有する寝具類の第３実施形態を示す一部拡大縦断面図である。
【考案を実施するための形態】
【００１７】
以下に、本考案における剥離用表面シーツを有する寝具類の一実施形態を図面に基づいて詳細に説明する。図１においては、本考案の剥離用表面シーツを有する寝具類の分離斜視図を示しており、図２においては、本考案の剥離用表面シーツを有する寝具類の斜視図を示している。また、図３、図４においては、剥離用表面シーツを有する寝具類の縦断面図を示している。
【００１８】
図１において、本考案の剥離用表面シーツを有する寝具類は、寝具本体１、ボックスシーツ２、表面シーツ３、敷き具４を有している。
寝具本体１は、例えば、ベッド等の寝台５や図示しない床などの載置面６に載置され、通常のマットレスや羽毛布団を含む敷き布団等からなっている。
【００１９】
ボックスシーツ２は、寝具シーツとして一般的に用いられる適宜の布類、例えば、綿を材料として略袋状の巻込み型に形成され、寝具本体１に巻込み装着可能に設けられている。このボックスシーツ２は、上面部７、長尺面部８、短尺面部９、折返し部１０を有している。上面部７は、寝具本体１の上面１ａに敷かれる部分であり、この上面部７を上面１ａに敷いた際には、上面部７の上面側には身体を乗せる部分となる表面１５が形成される。このボックスシーツ２の表面周囲縁２ａには剥離部材１１が配置される。
【００２０】
図３ないし図５に示すように、剥離部材１１は、例えば、ホックからなり、このホック１１は、後述する表面シーツの剥離部材であるホック１２とにより対を成し、これらの剥離部材１１、１２が剥離可能になっている。剥離部材１１をホックとする場合、これらのホック１１、１２は、例えば、プラスチックや金属などの材料により形成される。このうち、プラスチック製のホックは、軽量化や着脱の容易性、着脱強度の持続性、リサイクル性などの点において金属製のホックに比べて優れている。剥離部材１１は、例えば、布からなる取付部材１３に縫着等の固着手段により固着され、この取付部材１３を介してボックスシーツ２に縫着等の固着手段で固着される。
【００２１】
剥離部材１１、１２は、ホック以外の態様であってもよく、例えば、スナップボタン等のホック以外の点ファスナー、或は、後述する線ファスナー、面ファスナーなど対となるファスナー、又はこれらのファスナーを適宜に組み合わせたファスナーを有していてもよい。これらのファスナーを組合わせ、例えば、ホックと線ファスナーとを併用して設けた場合には着脱作業を簡単にすることも可能になる。何れの態様の剥離部材を用いる場合であっても、市販されているものを使用することができ、ホックの場合と同様に取付部材１３により縫着等の固着手段によりボックスシーツ２に固着が可能になっている。
【００２２】
図１、図３において、ボックスシーツ２における長尺面部８、短尺面部９は、それぞれ上面部７から寝具本体１の側面１ｂ、１ｃを覆うことが可能な適宜の長さに設けられている。折返し部１０は、長尺面部８、短尺面部９の端部側から延設するように設けられ、寝具本体１の底面１ｄに折返し可能な長さに設けられている。折返し部１０の端部側にはゴムからなる伸縮部材１４がこの折返し部１０に沿うように環状に縫い込まれている。
【００２３】
このように、ボックスシーツ２には、上面部７、長尺面部８、短尺面部９、折返し部１０が形成されているが、これらはボックスシーツ２が布製材料であることにより寝具本体１に装着する際に自然に形成されるものであり、その形成範囲が厳密に規定されるものではない。すなわち、ボックスシーツ２を折畳んだ場合には、これらは形成されることはない。
【００２４】
表面シーツ３は、ボックスシーツ２の表面１５と略同形の矩形状であり、平面状に広げて敷設したときに表面１５を覆うことができる大きさに設けられている。表面シーツ３の下面周囲縁３ａには、ボックスシーツ２の剥離部材（ホック）１１と対応する剥離部材（ホック）１２がボックスシーツ２と同様に取付部材１３を介して縫着等の固着手段により設けられている。この剥離部材１２と表面シーツの剥離部材１１とにより、表面シーツ３は、ボックスシーツ２の表面１５から着脱可能に設けられている。
【００２５】
敷き具４は、一般的な羽毛布団やベッドパッド等から成っている。この敷き具４は、図３、図４に示すように、ボックスシーツ２と表面シーツ３との間に挿入可能に設けられ、敷き具４を敷いたときには寝心地を向上させることが可能になっている。また、敷き具４は、寝具本体１から表面シーツ２を剥がしたときに取外しが可能になっている。
【００２６】
この場合、特に、敷き具４が羽毛布団である場合には、この羽毛布団４を寝具本体１に敷いたときには大量に空気を含むことで保温性が向上し、優れた吸湿・発散性を発揮することも可能になる。一方、敷き具４は、羽毛布団以外の布団であってもよく、例えば、羽根布団や羊毛布団であってもよい。敷き具４としてベッドパッドを用いる場合には、このベッドパッドは、図示しないが、中綿がポリエステル素材、側生地が綿素材の一般的な構成であればよいが、これ以外にも、例えば、羽毛等を適宜の割合で含有させたものであってもよい。
【００２７】
敷き具４は、羽毛布団やベッドパッド以外であってもよく、例えば、電気毛布、吸湿性マット等の適宜の補助寝具を敷き具４としてボックスシーツ２と表面シーツ３との間に挿入させることもできる。また、図示しないが、敷き具４の底面側の四隅にずれ防止のゴム製の固定具を設け、この固定具で寝具本体１を挟み込むようにして敷き具４を固定したり、或は、ボックスシーツ２と表面シーツ３との間に敷き具４を挿入しないようにしてもよく、この場合、ボックスシーツ２の上面側に表面シーツ２が直接設けられることになる。
【００２８】
本考案の剥離用表面シーツを有する寝具類は、寝具本体１と、表面シーツ３とを有し、この寝具本体１と表面シーツ３との間に設けた剥離部材１１、１２を介して敷き具４を挿入可能に設けた状態で、この寝具本体１に対して当該表面シーツ３を着脱可能に設けたものである。
【００２９】
上述した例は、あくまでも一実施形態であって、本考案の寝具類は、寝具本体１の表面１５に剥離部材１１、１２を介して表面シーツ３を着脱可能な態様であれば、必ずしもボックスシーツ２を使用する必要はない。例えば、図示しない一枚布からなるフラット状のシーツを設け、このフラット状シーツと表面シーツ３との間に剥離部材を設けることもできる。その際、フラット状シーツを寝具本体１に巻込み装着し、この状態でフラット状シーツに表面シーツ３が剥離部材を介して着脱可能に取付けられる。また、ボックスシーツ２や表面シーツ３の寸法や素材は、任意に設定することが可能であり、これらの表面に適宜の模様や凹凸などの装飾を設けることもできる。
【００３０】
続いて、上述した実施形態の剥離用表面シーツを有する寝具類において、寝具本体１にボックスシーツ２、表面シーツ３、敷き具４を取付ける手順を述べる。
先ず、ボックスシーツ２を寝具本体１に取付ける場合には、一般的なボックス型シーツの場合と同様に、寝具本体１の上面１ａに上面１５が位置するようにボックスシーツ２を被せ、長尺面部８と短尺面部９とを寝具本体１の側面１ｂ、側面１ｃの位置に合わせる。
【００３１】
次いで、寝具本体１の底面１ｄ側に折返し部１０を折返し、この折返し部１０を底面１ａの適切な位置に合わせる。このとき、ボックスシーツ２は、伸縮部材１４の収縮力により寝具本体１の所定位置に位置決めされた状態で取付けられる。
【００３２】
そして、ボックスシーツ２の表面７に敷き具４を敷き、この上から表面シーツ３を被せ、対応するホック１２とホック１１とをそれぞれ連結させる。これにより、ボックスシーツ２と表面シーツ３との間に敷き具４が挿入された状態で、ボックスシーツ２の表面１５に表面シーツ３が着脱可能に設けられる。
【００３３】
表面シーツ３が汚れたりして洗濯や交換などが必要な場合には、ホック１１とホック１２との連結を外し、表面シーツ３をボックスシーツ２から剥離させる。このとき、ボックスシーツ２から敷き具４を取り外すことも可能になる。更に、この状態で必要に応じてボックスシーツ２を交換することもでき、この場合、折返し部１０を底面１ｄから外すことにより簡単に寝具本体１からボックスシーツ２を取外しできる。
【００３４】
以上のように、本考案の剥離用表面シーツを有する寝具類は、表面シーツ３と寝具本体１との間に敷き具４を挿入可能に設けた状態で、剥離部材１１、１２を介して寝具本体１に表面シーツ３を着脱可能に設けているので、寝具本体１からボックスシーツ２を取外すことなく表面シーツ３のみを取外しできる。
【００３５】
この場合、表面シーツ３は、剥離部材１１、１２の連結を外すだけで寝具本体１から取外しが可能であるので、寝具本体１が寝台５、或は床の何れの載置面６に置かれている場合でも、寝具本体１を載置面６からずらしたり縦置きに向きを変えたりすることなく、手間をかけずに表面シーツ３を取外しできる。その際、寝具本体の表面１５に表面シーツ３を設けているので、表面シーツ３を寝具本体の上方側から簡単に取外しできる。更に、表面シーツ３を剥離したときに敷き具４を取り外してこの敷き具４を洗濯したり干したりすることもできる。
このように、本考案の剥離用表面シーツを有する寝具類は、汚れやすい表面シーツ３のみを寝具本体１から取外して洗濯等をおこなうことができるため無駄を少なくでき、この洗濯時や持ち運び時に嵩張ることもないため取り扱いも容易である。
【００３６】
図６においては、本考案の剥離用表面シーツを有する寝具類の第２実施形態を示している。なお、以降の実施形態において、上記実施形態と同一箇所は同一符号によって表し、その説明を省略する。
この実施形態においては、ボックスシーツ２０の表面周囲縁２０ａと表面シーツ２１の下面周囲縁２１ａに、剥離部材として線ファスナー２２を設けたものである。このときには、ホックの場合と比較してボックスシーツ２０に表面シーツ２１を強固に取付けでき、かつ、着脱作業も容易となる。線ファスナー２２を設ける場合には、１組の線ファスナーをボックスシーツ２０と表面シーツ２１の周囲縁２０ａ、２１ａに連続して設ける以外にも、２組以上の線ファスナーを設けるようにしてもよい。この場合、１組の線ファスナーの場合に比較して着脱作業が容易となる。
【００３７】
図７においては、本考案の剥離用表面シーツを有する寝具類の第３実施形態の要部を示している。この実施形態では、ボックスシーツ２５の上方側面周囲縁２５ａにホックからなる剥離部材２６を配置し、この剥離部材２６と対応する表面シーツ２７の内周側面周囲縁２７ａにホックからなる剥離部材２８を設け、これらのホック２６とホック２８とを着脱可能に設けたものである。
【００３８】
この場合、剥離部材２６、２８による剥離箇所が寝具本体１の側面に形成されるため、例えば、就寝中や座した場合などに、寝具本体１の上方側から急激な力が加わってボックスシーツ２５、表面シーツ２７、剥離部材２６、２８により囲まれた領域の空気がこの付近から集中的に抜け出そうとした場合でも、この空気抜けが剥離部材２６、２８に直接作用することがなく、剥離部材２６、２８の剥離を防ぐことができる。更に、このときの急激な力が剥離部材２６、２８に直接かかることもないため、剥離部材２６、２８の連結状態が維持される。このように、寝具本体１の側面周囲縁側に剥離部材２６、２８を設けた場合、その取付け状態がより強固に発揮される。
【００３９】
更に、この場合においても、寝具本体１の上方側面に位置する剥離部材２６、２８の連結を上方側から外して表面シーツ２７を着脱できるので、寝具本体１をずらしたり向きを変えたりすることなく簡単に表面シーツ２７の交換等を実施できる。
【符号の説明】
【００４０】
１  寝具本体
２、２５  ボックスシーツ
２ａ  表面周囲縁
３、２７  表面シーツ
３ａ  下面周囲縁
４  敷き具
５  ベッド（寝台）
６  載置面
１１、１２  ホック（剥離部材）
１５  表面
２５ａ  上方側面周囲縁
２７ａ  内周側面周囲縁
【図１】
0003156538.tif 000003
【図２】
0003156538.tif 000004
【図３】
0003156538.tif 000005
【図４】
0003156538.tif 000006
【図５】
0003156538.tif 000007
【図６】
0003156538.tif 000008
【図７】
0003156538.tif 000009